(57)【要約】【課題】  トナーの特徴を生かすことで、単にバインダとしてのみの効果ではなく、最近の高付加価値脱酸剤、すなわち、複合フラックスに求められている、脱硫、脱燐、及び、塩基度調整に対しても効果を与えることが可能となるバインダを提供し、同時に、トナーの付加価値をさらに高めることで、利益創出と環境保全とが同軸となった、より優れたリサイクル方法を提供すること。【解決手段】  製鋼用フラックスを造粒成形するためのバインダであって、該バインダは、トナーが用いられ、少なくとも脱酸剤、脱硫剤、脱リン剤、塩基度調整剤、スラグ粘度改良剤、鋼材改質剤から選択された複合反応用原料のうちの少なくとも１種類以上の複合反応用原料と混合されかつ粉粒物に粉粒化されている製鋼フラックス用のバインダであって、前記複合反応用原料のうちの少なくとも１種類以上のその他の成分又はこれを含む他のバインダ成分と必要に応じて混合されて造粒成形に用いられるものであることを特徴とする製鋼フラックス用のバインダ。【選択図】        図２
2005154843.tif 000002
【特許請求の範囲】
【請求項１】
製鋼用フラックスを造粒成形するためのバインダであって、該バインダは、トナーが用いられ、少なくとも脱酸剤、脱硫剤、脱リン剤、塩基度調整剤、スラグ粘度改良剤、鋼材改質剤から選択された複合反応用原料のうちの少なくとも１種類以上の複合反応用原料と混合されかつ粉粒物に粉粒化されている製鋼フラックス用のバインダであって、前記複合反応用原料のうちの少なくとも１種類以上のその他の成分又はこれを含む他のバインダ成分と必要に応じて混合されて造粒成形に用いられるものであることを特徴とする製鋼フラックス用のバインダ。
【請求項２】
前記複合反応用原料が、Ａｌ、Ｍｇ、ＭｇＯ、ＣａＯ、ＳｉＯ２、ＳｉＣ、Ａｌ２Ｏ３のうちの少なくとも１種類以上の成分を含むものであることを特徴とする請求項１に記載の製鋼フラックス用のバインダ。
【請求項３】
前記混合粉粒化時の摩擦及び加圧を含む機械的発熱により生じる熱にて軟化された前記バインダにより、前記複合反応用原料が結着されていることを特徴とする請求項１に記載の製鋼フラックス用のバインダ。
【請求項４】
前記混合、粉粒化の後の粉粒物の重量平均粒径が１ｍｍ未満であることを特徴とする請求項１乃至３のいずれかに記載の製鋼フラックス用のバインダ。
【請求項５】
前記トナーは、ポリオール樹脂、スチレン−アクリル系樹脂、エポキシ樹脂、及びポリエステル樹脂、または、これらに他の樹脂が配合されたものであることを特徴とする請求項１乃至４のいずれかに記載の製鋼フラックス用のバインダ。
【請求項６】
前記トナーとして、廃トナーを含むことを特徴とする請求項１乃至５のいずれかに記載の製鋼フラックス用のバインダ。
【請求項７】
前記複合反応用原料が、アルミ冶金滓系、鉱物系及び／又は金属加工屑系由来のＡｌ、Ｍｇ、ＭｇＯ、ＣａＯ、ＳｉＯ２、ＳｉＣ、Ａｌ２Ｏ３のうちの少なくとも１種類以上を含むものであることを特徴とする請求項２乃至６のいずれかに記載の製鋼フラックス用のバインダ。
【請求項８】
前記請求項１乃至７のいずれかに記載のバインダを含む粉粒物から造粒成形されてなることを特徴とする製鋼用フラックス。
【発明の詳細な説明】
【技術分野】
【０００１】
本発明は、ＯＡ機器のトナーのリサイクルに関する。また、金属、金属酸化物若しくは鉱物、またはこれらのうち２種以上が配合された粉粒体をつくる際に用いるバインダ及び該粉粒体を使用して造粒成形することにより得られるブリケットのような造粒成形物に関する。
【背景技術】
【０００２】
特許文献１には、実施例において、トナーのリサイクルシステムの概念が、原材料の段階から破棄までの間のマテリアルフロー（コメットサークル）として開示されている。
また、特許文献２には、トナーの成分および性状等を考慮したうえで、廃トナーを資源として有効利用でき、しかも、超微粉である廃トナーのハンドリングが容易な廃トナー処理方法を提供することを目的とし、市場の７０〜８０％を占めるトナーが４０〜５０％重量鉄粉を含むこと、およびトナーの粒子径が数〜十数μｍの超微粒子であることに着目し、製鉄所で廃トナーを有効利用すること、具体的には廃トナー混合装置で焼結原料に廃トナーを混合し、この廃トナーを混合した焼結原料を焼結機で焼結すること。焼結原料に混合した廃トナー中の鉄粉は鉄源として有効利用できること、また、廃トナー中の樹脂の一部は燃焼し、粉コークスの代替えとして有効利用できること、また、廃トナーを焼結原料に混合して焼結するので、廃トナーが飛散することなく、廃トナーのハンドリングが容易になることが記載されている。
また、特許文献３には、従来のバインダは、造粒するのに水分を必要としたり、保形性が悪かったり、造粒成形物の使用時に多量の黒煙を出して作業環境を悪化させたり、造粒成形物が過熱したりと、種々の欠点があり、これらの汎用性に欠けていた点を改善することを目的とし、トナーの結着樹脂として適した軟化点好ましくは１００℃以下を有する樹脂例えばポリオール樹脂、スチレン−アクリル系共重合体又はポリエステル樹脂を配合したバインダ、このバインダとして廃トナーを活用することができること、水分を加える必要がなく且つ耐水性が良いので、特に、アルミドロス、アルミ灰等のアルミ滓から製鋼用等のフラックスを製造するときに有効であることが記載されている。
また、特許文献４には、金属粉に対する少量の配合量で成形直後の保形強度を向上させることができるブリケット用バインダを提供することを目的とし、ダイマー酸、トリマー酸、アクリル化脂肪酸、マレイン化脂肪酸およびそれらの誘導体からなる群から選ばれる多塩基酸の少なくとも１種を主成分とし、Ｃａ、Ｍｇ又はＺｎの酸化物及び／又は水酸化物の存在下に用いるブリケット用バインダが記載されている。
また、特許文献５には、アルミドロスに、流動性を確保された２〜２０重量％のタール、ピッチあるいはアスファルトの一種以上からなる非含水性の粘結剤と、該粘結剤の数％程度のフェノール樹脂とを入れて混練した後、ブリケットマシンを用いてロール幅に対し５ｔ／ｃｍ以上の加圧力を持って加圧成形したことを特徴とするアルミドロスの製団方法が記載されている。
また、特許文献６には、粉粒状金属に対して有機系天然物０．１〜１０重量％と熱硬化性樹脂０．１〜５重量％を併用して、添加、混合、加圧成型した後、加熱処理することを特徴とする粉粒状金属の塊成化方法が記載されている。
また、本出願人は、先に、使用済みトナーや工場で生産された規格外トナーを一定量集める工程と、集めたトナー原料とし、他にアルミ精錬で生じたアルミ灰等も合わせて造粒成形する工程により、製鋼用フラックスを製造するトナーリサイクルシステムを提案（特願２００２−１９６４８７号参照）した。
【０００３】
現代社会においては、環境問題に関する重要性が以前に増して認識されている。そのため、消費者や投資家は、環境への配慮を切り口に企業を厳しく選別するようになってきている。よって、企業にとっては、これまで行なってきた利益創出活動と共に、今後は環境保全活動を行なうことが課題となる。
したがって、資源の有効活用・廃棄物の削減の点から、製品、部品、材料をリサイクルして使用するリサイクルシステムの確立が企業の急務となっている。消費エネルギー削減や有害物質の排出防止と同時に、このリサイクルの領域で率先して取組む企業ほど成長の道が開けてくると言える。
【０００４】
ところで、このリサイクルに関して、その手段（リサイクル処理）を大別すると以下のようなものがある。
（１）自家再使用
製品を使用するユーザーが、製品内の一部（部品等）を再使用するリサイクル処理である。複写機を例にとると、トナーの容器（トナーボトル）に、ユーザーが自分でトナーを詰め替えて再使用する場合がこれに相当する。この場合、リサイクル対象物（上記例の場合は“トナーボトル”）の価値は下がらない。よって、自家再使用は、環境負荷低減効果が最も大きく、且つ、コストが最も小さい処理の仕方であるといえる。
（２）製品再使用
使用済みとなり市場から回収される製品（以下「回収機」）に対して、所定の再生処理を施して「再生機」として再使用するリサイクル処理である。この処理の場合は、製品を構成する大部分はそのまま再使用されるので、環境負荷低減効果が非常に大きい。
（３）部品再使用
回収機から部品またはユニットを取り出し、新既の製品内の部品またはユニットとして再使用するリサイクル処理である。この処理の場合、本来は加工等の相当量のエネルギーを注いで製造される部品、ユニットに対し、その製造工程が省略されるという点で、環境負荷低減効果は大きい。
（４）マテリアルリサイクル
回収機を材料単位に分解・分別し、その後何らかの処理をして再生材料として使用するリサイクル処理である。なお、この処理の場合、同一分野の製品の材料として再利用するクローズドループマテリアルリサイクルと、他分野の製品の材料として再利用するオープンループマテリアルリサイクルとがある。
（５）再原料化
回収機を分解・分別し、最終的に原材料まで戻して再使用するリサイクル処理である。この処理を行なうことにより、廃棄物ゼロを具現化することができる。
（６）エネルギーリカバリー
プラスチックを燃焼させる等で、熱エネルギーを有効活用する処理である。
【０００５】
上記（１）〜（６）の手段においては、環境負荷低減効果の点で、一般に最も望ましいのが（１）で、以下（２）、（３）・・・（６）の順となっている。したがって、いかに上位の手段で継続的にリサイクルを可能とさせていくかが、企業が具体的にリサイクルを推進していく上での重要なポイントとなる。
しかし、実際は、上位にあるもの、例えば、「（１）自家再使用」のみで半永久的に処理し続けることは不可能で、ある一定の期間後には必ずその手段を断念しなければならない。なぜならば、その製品が有している機能そのものが、ある一定の期間後には陳腐化し、もはや市場（またはユーザー）対してその機能が有用なものではなくなってしまうので、その手段でリサイクルをすることに経済的価値がなくなってしまうからである。
その場合、これまで上位の手段で行なわれていたリサイクルが、下位の手段（例えば、これまで上記「（１）自家再使用」のリサイクルを行なっていたものは、（２）以下の手段）になっていくことになる。そのようにして、下位に下がった手段でまた一定の期間リサイクルが行なわれ、それが陳腐化したらまた下位へ、という推移を示していくことになる。
よって、リサイクルにおいては、上記（１）〜（６）のどれかの手段のみを実施していればよいというわけではなく、その全ての手段が実施されていかなければならない。
【０００６】
また実際、それら（１）〜（６）の手段は、同時並行で実施されなければならない。
なぜならば、製品（例えば複写機など）の種類毎によって、手段の段階（（１）〜（６）のこと）は異なってくるだろうし、また、一つの種類の製品に限定しても、その内部の部品、ユニットによっても各々リサイクル手段の段階は違ってくると考えられるからである。
【０００７】
以上のリサイクル処理は、例えば前記特許文献１にて記載されており、リサイクルシステムの概念をフロー（コメットサークル）として明確化している。そして、複写機等のＯＡ機器は、この基本概念（コメットサークル）及びリサイクル処理方法に従ってリサイクルを進めている一つの好例であるといえる。
【０００８】
但し、リサイクルの実際の運用においては、この基本概念（コメットサークル）をどのように具体化させるかが重要である。
特に、ＯＡ機器の場合、使用済みとなるものには機械本体のみではなく、サプライ品（消耗品）も含まれる。そのため、ＯＡ機器においては、機器本体と同様、サプライ品のリサイクルシステムをどのように具体的に構築するかが重要となる。
ここで、このＯＡ機器のサプライ品の主なものとしては、トナー、そして、トナーの容器、具体的にはトナーボトルやトナーカートリッジといったものがある。
【０００９】
ところで、企業が継続的な環境保全活動を行なうためにはいくつかの課題がある。
まず、第一の課題としては、いかにして環境保全活動そのものに経済性をもたせるかという点である。
できるだけ環境保全活動コストを下げて実施する、さらに言えば、環境保全活動と利益創出活動とが同軸となり、環境保全活動そのものが利益を生み出す活動となることが望ましい。つまり、前述のリサイクル処理手段が逆有償にて実施されるよりも、有償（つまり利益を得る）にて実施できるようにすることが望まれる。
ここで、サプライ、特にトナーのリサイクルを考えてみると、従来の提案としては、前記特許文献２に記載のものがある。
この提案は、トナーの粒子径が数〜十数μｍの超微粒子であることに着目して、製鉄所で廃トナーを有効利用している。具体的には、焼結原料に廃トナーを混合し、この廃トナーを混合した焼結原料を焼結機で焼結する。焼結原料に混合した廃トナー中の鉄粉は鉄源として有効利用し、また、廃トナー中の樹脂の一部は燃焼して粉コークスの代替え、つまり還元剤として有効利用する。また、廃トナーを焼結原料に混合して焼結するので、廃トナーが飛散することなく、廃トナーのハンドリングが容易になる、というものである。
なお、この方法のリサイクル処理の分類は、前述の分類のうちの「（５）再原料化」に相当する。
しかしながら、上記提案の場合、実際、リサイクル処理手段が逆有償（トナーを供給する側が処理側にお金を払う）にて実施されている。つまり、第一の課題が解決できていない。
その理由は、上記提案では、トナーに含まれる主成分である樹脂（結着樹脂）が充分な技術的付加価値を生んでいないからである。
トナー内の樹脂分はコークスの代替えとして活用されるが、それは一部分のみであり、多くはガス化して製鋼工程内の廃風設備にて処理されている。また、焼結工程へのトナー配合率は０．５％以下に押さえられているが、これは、トナー樹脂成分はトナー種類により異なり、このバラツキが焼結鉱の還元状態等に影響を及ぼすためである。したがって、焼結用原料としてはトナーは機能効率性が低い（よって、経済的付加価値がない）ものとなっている。
さらに、トナーの鉄分は鉄源とはなるが、実際、トナーには鉄を含むものと含まないものとがある。また、鉄を含むタイプにおいても、その含有率は通常は５０％重量以下である。よって、鉄原料としてのトナーは、鉄含有比率の点で効率性が低い（よって、経済的付加価値がない）ものとなっている。
【００１０】
次に、企業が継続的なリサイクルを行なうための第二の課題としては、いかにして工場の製造工程で発生する廃棄物に対してリサイクルできるかという点がある。
トナーのリサイクルおいても、リサイクル対象となるトナーは、市場にて使用された後の使用済み回収トナーの他に、トナー工場にて発生する製品規格外トナーがある。よって、如何にして両方（市場回収分／工場発生分）のトナーを円滑にリサイクルさせるかが課題となる。但し、その両方において、トナーは粉体であるゆえ、取り扱いが困難であるという課題は共通している。
ところで、上記第二の課題に関するトナー以外の他の例としては、アルミ等の金属精錬の工程や金属加工行程等で発生する粉末又は微粒物（以下粉末等）の場合がある。ここで、このアルミ粉末等と前述したＯＡ機器のトナーの例とで共通する点は、どちらも対象物が剛体でないこと、そして、対象が製造工程にて多く発生してしまうことである。
金属精錬や冶金の工程では、原料素材から目的金属を得るまでに精錬や溶解と言った各種の工程が行なわれるが、これらの工程中には不可避的に粉末等が発生してしまう。よって、これらの粉末等においても資源の有効活用の観点からリサイクルが望まれている。
その粉末等のリサイクルの一手段として、現在、製鋼用フラックス原料として活用する（前述のリサイクル処理の分類としては「（４）マテリアルリサイクル」に該当する）ことが考えられている。製鋼用フラックスとは、溶鉱炉での製銑作業や電気炉での製鋼作業や鋳造作業において、溶銑や溶鋼や鋼塊の脱酸、脱硫、脱リン、造滓、スラグ中のＦｅＯの還元、スラグの流動性向上、そして保温等のために、添加剤として使用されているものである。
この製鋼用フラックスの主要原料として有効利用されている代表的な粉末等は、アルミニウムの精錬、二次精錬や溶解工程で生じたアルミドロス、アルミ灰又はアルミ鉱滓（溶解滓）からなるアルミ滓である。また圧延、切削工程では切削屑、例えば切り子と呼ばれる粉末等が発生する。これら金属状（未酸化状態）の粉末等は主に、脱炭素のために用いられた溶銑中に残存する酸素の除去目的に使用（脱酸剤）される。
そして、通常、製鋼用フラックスは、その取り扱いの便宜や作業環境を考慮して有る程度の大きさに造粒成形（ブリケット化）される。そして、上記造粒成形に際しては、造粒性、保形性や圧壊強度を高めるために、バインダを配合することが、従来から提案されている。
【００１１】
従来提案されている粉末等を含み粉粒体に粉粒化された造粒成型用（ブリケット化用）バインダとしては、前記特許文献４〜６にてそれぞれ開示されているように、セメントやベントナイト等の無機系、ポリビニルアルコールやカルボキシルメチルセルロース、デンプン、タールやピッチ、ダイマー酸、トリマー酸等の多塩基酸が使用されている。
しかしながら、セメント等の無機系やポリビニルアルコールやカルボキシルメチルセルロースは水分を加える必要があるため、デンプンは耐水性が乏しく吸湿してしまい、アルミ滓のような水分と反応して水素ガスやアンモニアを発生してしまうようなものに使用するには不都合であった。
ダイマー酸、トリマー酸等の多塩基酸はアルミ滓のようなものに使用すると、その中に含まれる窒化アルミ、塩化アルミおよび炭化アルミ等によって成形時から化学反応を起こして造粒成形物が発火・燃焼して、還元成分としてのアルミが酸化してしまい、還元能力を失ってしまうため、製鋼用フラックスとしての商品価値がなくなってしまうという問題がある。
また、ダイマー酸、トリマー酸等の多塩基酸は、アルミ滓に使用した場合にはもとよりその他の材料に使用した場合にも、造粒成形物の保形性が悪く、成形後の破片の回収量が多くなって造粒歩留まりが悪くなるばかりでなく、粉粒体に対する配合割合が多くなり、このような造粒成形物を製鋼用フラックスとして使用した場合には、金属の精錬度が低下してしまう。
タールやピッチには、アルミ滓に使用した場合にはもとよりその他の材料に使用した場合にも、溶鋼添加時に多量の黒煙を出し、作業環境を悪化させる。
また、前記特許文献６においては、樹脂類のバインダしてフェノール系樹脂やポリウレタン樹脂も提案されている。しかし、フェノール系樹脂は保形性が低く、ポリウレタン樹脂は高価であるため経済性の点での問題がある。
したがって、金属精錬の製造工程で発生する粉末等をリサイクルするためには、いずれのバインダも欠点があり、品質を妥協して使用していたのが現状である。
【００１２】
以上の第一、第二の課題を克服して、粉体であるＯＡ機器のトナー及びアルミ精錬工程で発生するアルミ粉末等のマテリアルリサイクルを達成する手段として、本件発明者らは、以前に、特許文献３記載の技術を提案している。
すなわち、バインダの主成分（製鋼用フラックスの主成分ではなく、バインダの主成分）としてトナーを活用するというものである。
トナーの主成分は結着樹脂である。元々、トナーは、常温では粉体流動性に優れ、かつ画像形成装置（複写機などのＯＡ機器）上では加熱圧縮されて瞬時に熔融し紙に極めて迅速に定着することを狙っているため、トナーに使用している結着樹脂には、常温で強固な固体である反面、良好なシャープメルト性と定着性、即ち、加熱時に良好な熱熔融性を示し、かつ熔融時に低粘度化し、再固化後は強固なバインダ能力を発揮することが求められている。
一方、製鋼用フラックス、例えば脱酸剤の場合は、主成分（脱酸剤の主成分）であるアルミ滓等の粉末等を造粒成形（ブリケット化）に用いることを狙っているため、脱酸剤のバインダも造粒成形時には圧縮下にて使用されることになる。さらに、造粒成形時には摩擦等の他の機械的ストレスも加わり加圧、圧縮されるので不可避的に発熱するため、結果として、バインダは加熱圧縮されることになる。
この造粒成形（ブリケット化）を考慮すると、本来、バインダとしては、軟化点が１００℃以下の樹脂を配合していることが好ましく、摩擦圧縮により６０℃程度には加熱されることから、軟化点が６０℃以下で、かつ良好な結合（バインダ）能力を示す樹脂であることがより好ましい。
この条件を満足できる樹脂の例としては、ポリオール樹脂、スチレン−アクリル系共重合体、ポリエステル樹脂、スチレン樹脂、エポキシ樹脂が例示される。更により好ましい樹脂は、ポリオール樹脂、スチレンーアクリル系共重合体、ポリエステル樹脂である。
そして、これらは樹脂は、現在トナーの結着樹脂として主に使用されているものと一致する。そのため、常温時の良好な結合（バインダ）能力と加熱時の良好な熱熔融性という、画像形成装置と脱酸剤の共通の要求を満足するという理由で、トナーは脱酸剤のバインダ用途に転用することに適しているといえる。
その結果、従来のバインダーの問題点であったアルミ酸化／保形性劣化／発熱等を回避することが可能となる。また、成形性も優れており、更に、溶銑や溶鋼に添加してもタ−ルやピッチのように、多量に添加しなければならないということもないため、造粒されたブリケットは過剰な炭素分を含有せず、また作業環境を低下させない効果も有している。
それらに加え、従来のトナーの焼結工程への活用と異なり、使用されたトナーはその含有成分が全て製鋼用フラックス原料としてマテリアルリサイクルされることで、トナーの機能性効率性を高めている（無駄になる部分がない）ことにより、トナーリサイクルの経済的付加価値が高めることができ、有価物とすることが可能とさせている。
【００１３】
ここで、現在ＯＡ機器は、使用済みとなったものはメーカー等により回収されており、その際には製品内部に含まれるトナーも同時に回収される。よって、従来は回収後そのまま廃棄されていた使用済みのトナーも、本発明のバインダに配合する樹脂として活用可能である。また他に、工場から排出される製造規格以外のトナーも本発明のバインダに配合する樹脂として活用ができる。
したがって、この提案は、トナーのリサイクルとしても現在最も優れている手段であると言える。
【００１４】
ところで、上述の製鋼用フラックスにおいては、最近では高付加価値化が求められている。例えば脱酸剤に対しては、脱酸効果の他に、脱硫剤や脱燐剤（主にカルシウム等の塩基性の金属酸化物）の効果、あるいは、製鋼スラグの塩基度調整剤、スラグ粘度改良剤、鋼材改質剤の効果が求められている。すなわち複合フラックスとしての要求がある。
この要求に対し、脱酸剤においては、その主成分（アルミ）のみで達成することは不可能なので、新たな添加成分を加えて成分調整を行なう対応を行なうことになる。
但し、これら添加成分は、成形された脱酸剤内で均等に分散されることが必要となる。もし均等でないと、前述の複合効果が損なわれてしまうことになる。
そして添加成分の中には、混合時の流動性が悪いものもあり、また、中には主成分（アルミ）に対し配合比率が微小であるものもある。そのため、現状では、「複合フラックス内での添加成分の均等な配合」が課題になっている。
【００１５】
【特許文献１】特開２０００−１８１９５８号公報
【特許文献２】特開２００１−３０６３号公報
【特許文献３】特開２００３−１３８３２０号公報
【特許文献４】特開平６−２００３３２号公報
【特許文献５】特公平６−３５６２１号公報
【特許文献６】特許第２７３２８９８号公報
【発明の開示】
【発明が解決しようとする課題】
【００１６】
以上の点に鑑み、特許文献３の基本発明の改良および応用技術に係る本発明は、トナーの特徴を生かすことで、単にバインダとしてのみの効果ではなく、最近の高付加価値脱酸剤、すなわち、複合フラックスに求められている、脱硫、脱燐、及び、塩基度調整に対しても効果を与えることが可能となるバインダを提供し、同時に、トナーの付加価値をさらに高めることで、利益創出と環境保全とが同軸となった、より優れたリサイクル方法を提供することを目的とする。
【課題を解決するための手段】
【００１７】
上記課題は、本発明の（１）「製鋼用フラックスを造粒成形するためのバインダであって、該バインダは、トナーが用いられ、少なくとも脱酸剤、脱硫剤、脱リン剤、塩基度調整剤、スラグ粘度改良剤、鋼材改質剤から選択された複合反応用原料のうちの少なくとも１種類以上の複合反応用原料と混合されかつ粉粒物に粉粒化されている製鋼フラックス用のバインダであって、前記複合反応用原料のうちの少なくとも１種類以上のその他の成分又はこれを含む他のバインダ成分と必要に応じて混合されて造粒成形に用いられるものであることを特徴とする製鋼フラックス用のバインダ」、（２）「前記複合反応用原料が、Ａｌ、Ｍｇ、ＭｇＯ、ＣａＯ、ＳｉＯ２、ＳｉＣ、Ａｌ２Ｏ３のうちの少なくとも１種類以上の成分を含むものであることを特徴とする前記第（１）項に記載の製鋼フラックス用のバインダ」、（３）「前記混合粉粒化時の摩擦及び加圧を含む機械的発熱により生じる熱にて軟化された前記バインダにより、前記複合反応用原料が結着されていることを特徴とする前記第（１）項に記載の製鋼フラックス用のバインダ」、（４）「前記混合、粉粒化の後の粉粒物の重量平均粒径が１ｍｍ未満であることを特徴とする前記第（１）項乃至第（３）項のいずれかに記載の製鋼フラックス用のバインダ」、（５）「前記トナーは、ポリオール樹脂、スチレン−アクリル系樹脂、エポキシ樹脂、及びポリエステル樹脂、または、これらに他の樹脂が配合されたものであることを特徴とする前記第（１）項乃至第（４）項のいずれかに記載の製鋼フラックス用のバインダ」、（６）「前記トナーとして、廃トナーを含むことを特徴とする前記第（１）項乃至第（５）項のいずれかに記載の製鋼フラックス用のバインダ」、（７）「前記複合反応用原料が、アルミ冶金滓系、鉱物系及び／又は金属加工屑系由来のＡｌ、Ｍｇ、ＭｇＯ、ＣａＯ、ＳｉＯ２、ＳｉＣ、Ａｌ２Ｏ３のうちの少なくとも１種類以上を含むものであることを特徴とする前記第（２）項乃至第（６）項のいずれかに記載の製鋼フラックス用のバインダ」によって解決される。
また、上記課題は本発明の（８）「前記第（１）項乃至第（７）項のいずれかに記載のバインダを含む粉粒物から造粒成形されてなることを特徴とする製鋼用フラックス」によって解決される。
【発明の効果】
【００１８】
特許文献３を基本発明とし、その改良および応用技術である本発明の請求項１、３乃至７により、常温固化時の良好なバインダ能力と加熱時の良好な熱熔融性又は少なくとも熱軟化性及び反応性フラックス原料との親和性や低粘度特性を活かし、複合フラックスに必要な複合反応用原料のうちの少なくとも１部を予めバインダ内に含有させることで、溶融時に低粘度となるバインダ原料であるトナーの中に複合反応用原料が入り込み均一に分散し、それにより、最終製品である複合フラックスを作る際、複合フラックスの主成分であるアルミ灰の中に、アルミと混合性の良いトナ−が混ざり込み、それに合わせて複合反応用原料も混ざり込むことになるので、複合フラックスの中で複合反応用原料が均等に分布して混ざりこんだ良質の複合フラックスを提供することができ、冷却固化時に強力な結合力を発揮するバインダ原料であるので、バインダ量の比率が多くなる（炭素分過剰）ことを回避することができ、また、別段の粉粒化手段を用いることなく粉粒体となすことができる。
また、トナーの分布状態と複合反応用原料の分布状態とは相関を持っているため、複合フラックス製造時には、単に成形性（トナーによるバインダ効果）を試験するだけで、同時に複合反応用原料の均一性評価すなわち複合フラックスの機能評価を実施したことに相当するので、製造工程にて複合フラックスの機能試験は不要となり、簡易に複合フラックスの品質を確認することができる。
その結果、バインダ原料としてのトナーの付加価値がさらに高まって、利益創出と環境保全とが同軸である優れたリサイクル実施することが可能となる。
また、本発明の請求項２により、複合反応用原料としてＡｌ、Ｍｇ、ＭｇＯ、ＣａＯ、ＳｉＯ２、Ａｌ２Ｏ３を用いることで、脱酸、脱硫、脱燐、及び、塩基度調整に対しても効果を与えることが可能となる複合フラックスを提供することができる。
【発明を実施するための最良の形態】
【００１９】
以下、本発明を詳細に説明する。
本発明においては、造粒成形用（ブリケット化用）及び粉粒物用バインダとしてトナーを用いるが、このトナーは、先に記載したように、廃トナーや、トナー製造時に生じる規格外のトナーであってよい。また、このトナーは、ポリオール樹脂、スチレン−アクリル系樹脂、エポキシ樹脂、及びポリエステル樹脂を含むことがより好ましい。また、これらと他の樹脂が所望の比率で配合されているトナーであってもよい。さらに、本発明におけるバインダはトナーの他に他の適当な従来から用いられている材料、例えばタールやピッチのような瀝青物、炭水化物系バインダ材料、他の樹脂材料や廃ゴム材料が、該トナーの特性を喪失させない程度までの量添加されていてもよい。これらの添加量は、原トナーの組成及び性質、及び、添加剤の種類及び性質にもよるが、一般的に５０％未満、好ましくは３０％未満、より好ましくは２５％未満である。
【００２０】
本発明におけるバインダ成分に混合、均一分散される複合反応用原料成分には、脱酸剤、脱硫剤、脱リン剤、塩基度調整剤、スラグ粘度改良剤、鋼材改質剤が含まれる。これら複合反応用原料は、Ａｌ、Ｍｇ、ＭｇＯ、ＣａＯ、ＳｉＯ２、ＳｉＣ、Ａｌ２Ｏ３のうちの少なくとも１種類以上を含むものであってよい。この複合反応用原料は、アルミ冶金滓系、鉱物系及び／又は金属加工の際の切り子等の金属性切り屑系由来のものであってよい。また、Ａｌ、Ｍｇの大部分は、製鋼スラグ中では高融点のＭｇＯ、Ａｌ２Ｏ３に変わり得る（鉄中のリン分によりアパタイト系のものに変わる部分もある）ので、例えばほたる石のようなスラグ融剤（粘度改良剤）を複合反応用原料成分の１つとして用いることができる。これらの大半は、微粉物であることが望ましく、したがって、塊状等である場合には公知の粉砕手段により粉砕分級して用いることが好ましい。
【００２１】
本発明において、バインダ成分対これらの複合反応用原料成分との量比は、０．１〜２５％対９９．９〜７５％であり、好ましくは１．０〜２０％対９９．０〜８０％、より好ましくは２．５〜１０％対９７．５〜９０％である。混合、均一分散には３本ロールの他、バンバリーミキサーを開放型として使用する方法や、三井鉱山社製連続式２本ロール混練機、Ｖ型混合機、ロッキングミキサー、レーディゲミキサー、ナウターミキサー、ヘンシェルミキサー、スクリュニーダー等従来公知の混合分散装置を用いることができる。混合分散過程で印加される攪拌、ロール加圧、混練、圧延、捻り等による圧力、摩擦力、引き裂き等の機械的ストレスによる発熱でバインダ成分は熔融若しくは少なくとも部分的に軟化し、複合反応用原料成分はその中に均一分散され、かつ、その過程で粉粒化される。
【００２２】
バインダ成分に複合反応用原料成分が混合、均一分散されたバインダ成分は、通常、粉粒体として得られるが、所望であれば、公知の粉粒化手段を用いて再度粉粒状に粉砕又はパルベライズ化若しくはペレタイズ化してもよい。本発明においては、この粉粒物は、重量平均粒径が１ｍｍ未満であることが好ましい。但し、ブリケットマシンにおける取り扱い時の飛散防止等の観点から、平均粒径が５０μ以上であることが好ましい。この粉粒物は、貯蔵タンク又はより小型のサービスタンクに貯蔵され、又は製品として出荷され、若しくはブリケットマシンで造粒される。
【実施例】
【００２３】
以下、本発明を実施例により具体的に説明するが、本発明はこれら実施例に限定されるものではない。
［実施例１］
製鋼用フラックスのうち、特に脱酸剤について述べると、脱酸剤に複合機能（すなわち複合フラックスとしての効果）を加味する場合、例えば添加成分としてＳｉＯ２を加える。このＳｉＯ２は、基本的には塩基度調整の効果をもたらすものであるが鋼材改質剤としての機能を発揮することもある。但し、Ｓｉ分が過多になると、溶鋼にＳｉ分が溶け込んで鋼の品質を損なうという副作用もある。そのため一般にはＳｉＯ２の添加量は微量（主成分のアルミと添加重量で相対比較して微量）である。
この微量なＳｉＯ２を複合フラックス内で均等に分布させるため、粉粒体の製造段階において、バインダの主成分であるトナーにＳｉＯ２を混合、分散して、粉粒体内部にＳｉＯ２を含有させる（図１参照）。
この混合、粉粒化は混合機にて行なわれ、通常は混合機としてミキサー（図示せず）が使われる。
混合時、混合機内部では、バインダ同士またはバインダとＳｉＯ２とが接触し合い、摩擦熱を発して熱圧縮状態となる。この摩擦熱はバインダの主成分であるトナー粒子全体を熔融又は少なくとも軟化させる程の熱量はないが、トナーの表面を軟化させることは充分可能である。そのため、トナー間、または、トナーとＳｉＯ２とが結着していくことになる。但し、この混合のときに極く高融点のＳｉＯ２が軟化することはない。
その後、図２の如く、除々に、バインダのトナー間またはバインダとＳｉＯ２間が結着されて、粉粒体状態となる。
混合後、図２の粉粒体粒子の径は、数百μｍ〜１ｍｍの間の大きさとなる。この粉粒体を用いて最終製品としての複合フラックスを造粒成形することを考えると、粉粒体体積と粉粒体表面積の比率から、熱伝導効率の点で粒径は小さい方が良い。しかし、一方で、粉粒体自体を作る際に、図２のようにＳｉＯ２とトナーとを充分に結着させることを考えると、ある程度の粒径をもたせることもやむを得なくなる。そして、双方のバランスをとった大きさを考えると、図２の粉粒体の粒径は、３００μｍ程度が望ましい。
【００２４】
次に、図３にて、最終製品である複合フラックスを製造するＳＴＥＰ（造粒段階）を説明する。
通常、複合フラックスの製造は、
ＳＴＥＰ１．主原料（アルミ灰）を混合機に投入
ＳＴＥＰ２．素バインダ（トナー）＋ＳｉＯ２を混合機に投入
ＳＴＥＰ３．混合機による混合（及び粉粒化）
ＳＴＥＰ４．ブリケットマシン（造粒成形機）に材料を移し変え
ＳＴＥＰ５．造粒成形（ブリケット成形）
の各ＳＴＥＰにて行なわれる。
最終製品である複合フラックスの製造の仕方と、その原料である粉粒体の製造の仕方とで大きく異なる点は、前者が「混合（ＳＴＥＰ３）」と「造粒（ＳＴＥＰ５）」とが明確に工程を分けて作るのに対し、後者は「混合」と「粉粒化」とを同時に行なっている（図１参照）ことである。この違いは、主に完成品の大きさの違い、複合フラックスがカンパン大の数１０ｍｍのサイズであるのに対して、粉粒体は３００μｍ程度、からくるものである。
ここで、複合フラックスの造粒成形として考えられるマシン（製造装置）は、一般には、湿式用ペレタイザーや低圧ブリケットマシン、乾式成形用の高圧ブリケットマシンやロータリープレスマシン等が考えられる。しかし、複合フラックスの主成分である金属アルミと水分との反応（窒化アルミと水との反応によるアンモニアガス発生の反応）を避けるためには、乾式成形用の高圧ブリケットマシンやロータリープレスを使用する方が好ましい。さらに、ロータリープレスマシンより高圧ブリケットマシンを使用する方が生産性が高くなり、製造コストを制御できることから、高圧ブリケットマシンを使用するのが最も望ましい。（図示せず）
上記の図３のＳＴＥＰにおいて、バインダ素材であるトナーは、基本的に主成分であるアルミとの混合性が非常に優れている。そのため複合フラックスの中には均等にトナー（すなわちバインダ成分）が分布されている。（注：一般にバインダが均等に分布されていないと、完成した成形品の成形保持力に問題がおこり、成形品の部分的に「欠け」が生じたりする。）
ちなみに、複合フラックス全体（主成分＋バインダ）に対して、バインダは１〜２０重量％（固形分換算）配合させるのが好ましい。１重量％未満では満足すべきバインダ効果が発揮されず、また、前述の添加成分をトナ−と混ぜ合わすことも困難となる。一方、バインダが２０重量％を超えてしまうと、こんどは主成分が減ることで複合フラックスとしての充分な効果は得にくくなってしまうことがある。
その結果、図１の要領で作った粉粒体内のＳｉＯ２もトナーと共に複合フラックス内にて均等に分布することになる。
従来は、完成品（複合フラックス）の成分均一性を確認（試験）するのに、その都度、成分分析試験を行なう必要があったが、本発明の場合、添加成分（ＳｉＯ２）の均一性は、すなわち、バインダの均一性＝保持力、となるので、成形状態を目視確認または簡単な過重付加試験を行なうことで、同時に添加成分均一性も計れることになる。
【００２５】
［実施例２］
実施例２は、複合フラックスの添加成分としてＭｇＯを加える場合である。このＭｇＯは、脱酸効果を持つと同時に脱硫剤としての効果をもたらす。このＭｇＯは、例えば軽焼マグネシア等の鉱物を活用して配合することになる。そして通常、ＭｇＯ２の添加量も実施例１同様、微量である。
図４に、添加成分としてＭｇＯが入った粉粒体の粒子を示す。バインダの主成分であるトナーが添加成分であるＭｇＯを覆っている状態となっている。（構造上は実施例１の図２とほぼ同じものとなる）
図５は、バインダの製造フローを表わしている。これに関しても実施例１（図１）と同様のやり方となり、混合を行なう際に、同時に粉粒化も行っている。
【００２６】
［実施例３］
実施例３は、実施例１と２の複合である。すなわち、添加成分として、ＳｉＯ２とＭｇＯの両方を用いている場合である。この場合、粉粒体は図６の如く、トナー分の中にＳｉＯ２とＭｇＯが混合して混入している。
【００２７】
［実施例４］
実施例４は、添加成分として、さらにＣａＯやＡｌ２Ｏ３を加えた場合である。（図示せず）
通常、ＣａＯは脱硫、脱燐、Ａｌ２Ｏ３は脱酸の役目を持つ。
ＣａＯやＡｌ２Ｏ３が添加成分の場合、これまでの実施例１〜３と異なるのは、ＣａＯやＡｌ２Ｏ３の複合フラックス内での混合比はやや多くなり、粉粒体内でのＣａＯまたはＡｌ２Ｏ３は半分近く占める（残り半分がトナー）ことになる。
【図面の簡単な説明】
【００２８】
【図１】本発明の粉粒体製造の一例を示すフロー図である。
【図２】本発明の粉粒体粒子の一例を示す模式図である。
【図３】本発明の複合フラックス製造のステップを示すフロー図である。
【図４】本発明の粉粒体粒子の他の例を示す模式図である。
【図５】本発明の粉粒体製造の他の例を示すフロー図である。
【図６】本発明の粉粒体粒子の他の例を示す模式図である。
【図１】
2005154843.tif 000003
【図２】
2005154843.tif 000004
【図３】
2005154843.tif 000005
【図４】
2005154843.tif 000006
【図５】
2005154843.tif 000007
【図６】
2005154843.tif 000008